(57)【要約】【課題】  ２階建ての建物から火災が発生した場合に避難することが出来る木造住宅の提供。【解決手段】  木造住宅１に隣接して鉄筋コンクリート製又は鉄骨製の避難用建物２を設け、該避難用建物２は１階建てとして上記２階建て木造住宅１の２階から屋上へ渡ることが出来る避難通路６を設け、該屋上５から１階へ降りることが出来る非常階段４を設け、そして木造住宅１と避難用建物２との間には防火シャッター７を取付けている。【選択図】    図１
0003128983.tif 000002
【実用新案登録請求の範囲】
【請求項１】
２階建ての建物から火災が発生した場合に避難することが出来る木造住宅において、木造住宅に隣接して鉄筋コンクリート製又は鉄骨製の避難用建物を設け、該避難用建物は１階建てとして上記２階建て木造住宅の２階から屋上へ渡ることが出来る避難通路を設け、該屋上から１階へ降りることが出来る階段を設け、そして木造住宅と避難用建物の１階通路には防火シャッターを取付けたことを特徴とする火災時の避難を可能とした住宅構造。
【請求項２】
木造住宅と避難用建物の接続部付近には放水設備を取付けた請求項１記載の火災時の避難を可能とした住宅構造。
【請求項３】
上記避難用建物の屋上に水タンクを据付け、上記放水設備と接続した請求項２記載の火災時の避難を可能とした住宅構造。
【請求項４】
上記避難用建物の外に、屋上から降りることが出来る非常階段を取付けた請求項１、請求項２、又は請求項３記載の火災時の避難を可能とした住宅構造。
【請求項５】
上記木造住宅と避難用建物の床面積の比率を１２：１とした請求項１、請求項２、請求項３、又は請求項４記載の火災時の避難を可能とした住宅構造。
【考案の詳細な説明】
【技術分野】
【０００１】
本考案は木造住宅から火災が発生した場合に、２階から避難することが出来る構造とした住宅に関するものである。
【背景技術】
【０００２】
木造住宅は一般的に火災に弱く、その為に火災が発生すると短時間に燃え広がり、避難することも出来なくなる。特に、２階にいる際に１階で火災が発生するならば逃げることが出来なくなる場合が多く、下から吹き上げる一酸化炭素による中毒で亡くなってしまうケースもある。
【０００３】
従来の木造住宅では、隣り合う柱又は間柱の間には内外の壁材で挟まれた空間に配置された断熱材で建物の内外を断熱し、また内壁材は下地材を釘打ちした後、その上にクロス等の内装仕上げ材を貼り付け等によって取付けているだけであるため、建物の防火性が乏しい欠点がある。
【０００４】
よって、木造住宅のある部屋から火災が発生した場合、建物の柱間に設けた上記断熱材では延焼を防ぐことは出来ない。断熱材としては一般にグラスウール等が使用され、該断熱材はあくまでも部屋の内外との熱伝達を抑制する為のものであり、延焼を抑える為の防火機能は備えていない。
【０００５】
特開２００４−１９０４７２号に係る「木造住宅の防火外断熱壁構造」は、合成樹脂発泡体を断熱材として用いた外断熱工法の木造住宅において、防火性能を向上させ、平成１４年６月施行の建築基準法第２条第８号に規定される防火構造となることが可能な木造住宅の防火外断熱壁構造である。そこで、木造住宅の外断熱壁構造において、壁の断面構成が、室内側から順に少なくとも面材、合成樹脂発泡体からなる断熱材、無機繊維からなる不織布又は織布、通気胴縁、外装材として構成している。
【０００６】
しかし、特開２００４−１９０４７２号に係る「木造住宅の防火外断熱壁構造」は、隣接する住宅火災の延焼を抑制する効果はあるが、自宅で火災が発生した際に安全に避難することが出来るものではない。
【特許文献１】特開２００４−１９０４７２号に係る「木造住宅の防火外断熱壁構造」
【考案の開示】
【考案が解決しようとする課題】
【０００７】
このように、木造住宅が火災になった場合に延焼を抑制する為の技術は色々あるが、人が安全に避難する方法がない。本考案が解決しようとする課題はこの問題点であり、２階にいた時に１階で火災が発生した場合であっても、確実に避難することが出来るように構成した住宅構造を提供する。
【課題を解決するための手段】
【０００８】
本考案に係る２階建ての木造住宅は、その隣に避難用建物を建てた構造とし、木造住宅と避難用建物の１階の通路(出入り口)には防火シャッターを取付けている。避難用建物は１階建てとし、鉄筋コンクリート製又は鉄骨製としている。すなわち、避難用建物は延焼しにくい材質で構成している。そして、木造住宅の２階から避難用建物の屋上へ渡ることが出来る避難通路を備えている。避難通路は避難用建物の屋上と木造住宅の２階を繋ぐ構造となっている。
【０００９】
ここで、該避難通路の形態は特に限定せず、又防火シャッターの形態も限定しない。さらに、避難用建物には屋上から１階へ降りることが出来る階段を取付けている。一方、上記木造住宅と避難用建物の接続部付近に放水設備を取付けることもあり、避難用建物の屋上には該放水設備から放水するための水を貯蔵する水タンクを据え付ける。
【考案の効果】
【００１０】
本考案に係る木造住宅は避難用の建物が隣接して設けられている。従って、木造住宅の１階で火災が発生した際、２階に居ても避難通路を渡って隣の避難用建物へ逃げることが出来る。そして、木造住宅と避難用建物との出入り口には防火シャッターが取付けられていることから、又は放水設備を備えている為に出入り口から避難用建物へ火が回ることはない。そこで、木造住宅の２階に居ても避難通路から避難用建物の屋上へ逃げることが出来、該屋上から階段で１階へ降りることが可能となり、少なくとも火災で命を落とすことはなくなる。
【実施例】
【００１１】
図１は本考案に係る火災時の避難を可能とした住宅構造の外観を示す具体例であり、同図の１は木造住宅、２は避難用建物を表している。木造住宅は日本古来の様式で作られた建物であり、主として北陸地方での一般的な建築様式とされている。２階建て木造住宅は、正面に玄関を有し、一階には畳み敷きの座敷間を有し、そして屋根は瓦葺と成っている。
【００１２】
本考案では上記木造住宅１の隣には避難用建物２が隣接して建てられており、この避難用建物２は鉄筋コンクリート製であって屋上を備えた１階建てと成っている。屋上の周囲には安全用のフェンス３が取付けられ、避難用建物２の外側には避難用階段４が設けられている。勿論、屋上から降りる階段は避難用建物２の内部に取付けることも出来る。
【００１３】
ところで、この避難用建物２は本宅である上記木造住宅１と繋がっているが、あくまでも独立した建物として構成され、通路となる出入り口には防火シャッターが取付けられている。ただし、外観は一軒の建物として木造住宅１と避難用建物２が組み合わされた構造と成っている。防火シャッターは常時開口しているが、火災を感知することで降下し、出入り口を閉鎖するように制御される。しかし、電気系統が故障した場合には手動で閉鎖可能な構造としている。従って、木造住宅１の１階で火災が発生した際に、避難用建物２が延焼することはない。逆に、避難用建物２から火災が発生した際にも、防火シャッターが作動して出入り口を閉鎖する。
【００１４】
本考案の住宅構造では、木造住宅１の２階に人が居ても、２階の避難通路から避難用建物２の屋上へ渡ることが出来る。そして、屋上から非常階段４を降りて外で逃げることが可能となる。ここで、木造住宅１の２階に設けている避難通路は、２階の窓を開くことで該避難通路へ出ることが可能な構造としている。又は、２階にドアが取付けられ、該ドアを開くことで避難通路へ出ることが出来るようにしている。勿論、避難通路ではなく単なる出入り口とすることも出来る。一方、避難用建物２から火災が発生した際には、出入り口の防火シャッターが閉鎖することで木造住宅１への延焼を防止でき、しかも外へ避難することが出来る。
【００１５】
図１は本考案に係る火災時の避難を可能とした住宅構造を表している具体例であり、その他にも色々な形態として構成することが出来る。図２は本考案の住宅構造を概略化したものであり、本宅となる木造住宅１、避難用建物２、そして屋上５に設けた避難通路６、さらには木造住宅１と避難建物２との間に設けた防火シャッター７を備えている。
【００１６】
避難通路６は木造住宅１の２階に通じるようになっている。そして、避難用建物２の外には非常階段４が適当な位置に取付けられ、さらに避難用建物２の屋上５には水タンク８を備えている。そして、図３は１階(ａ)と２階(ｂ)の平面図であり、２階の避難通路６の付近には放水口９，９を取付けていて、水タンク８と接続している。勿論、１階の出入り口付近にも防火シャッター７と共に放水口９，９を取り付けることが出来る。
【００１７】
ここで、実施例で説明した木造住宅１と避難用建物２の床面積比は１２：１とし、接合部の幅は３ｍ〜５ｍと成っている。又、木造住宅１と避難用建物２の床は同一面とするのが一般的であるが、段差を設けたとしても１５ｃｍまでとする。一方、建物の方角は宅地形態に制約されるが、避難用建物２を東側に位置させるほうが好ましい。
【００１８】
木造住宅１及び避難用建物２の何れかにおいて火災が発生した場合に防火シャッター及び放水により延焼を防止することが出来る。ここで、避難用建物２は単に避難用として用いるだけでなく、毎日の生活に活用することは自由である。
【図面の簡単な説明】
【００１９】
【図１】本考案に係る火災時の避難を可能とした住宅構造の実施例。
【図２】本考案に係る火災時の避難を可能とした住宅構造の概略図。
【図３】(ａ)は図１の１階の平面図、(ｂ)は図１の２階の平面図。
【符号の説明】
【００２０】
１  木造住宅
２  避難建物
３  フェンス
４  非常階段
５  屋上
６  避難通路
７  防火シャッター
８  水タンク
９  放水口
【図１】
0003128983.tif 000003
【図２】
0003128983.tif 000004
【図３】
0003128983.tif 000005